(57)【特許請求の範囲】
【請求項１】
扱胴（１５）を軸架した扱室（１）の一側に、該扱室（１）の後部から被処理物を受入れて処理する排塵処理胴（１８）を軸架した排塵処理室（１９）を設け、前記排塵処理胴（１８）の前方にはニ番揚穀筒（２８）から排出される二番物を処理するニ番処理胴（３）を軸架した二番処理室（２）を設けた脱穀機において、前記二番処理胴（３）の外周に立設する攪拌搬送体（４）に接近すると共に二番処理室（２）内のニ番物の移送方向（Ａ）に対して後退角（θ）を有する抵抗面（６）を形成した複数の移送抵抗板（５）を二番処理室（２）の内壁に設け、該各移送抵抗板（５）の上端縁を脱穀機の内側下方へ向けて下り傾斜させると共に各移送抵抗板（５）の上方位置に開閉可能なメンテナンス用窓（４０）を設けたことを特徴とする脱穀機。
【請求項２】
前記各移送抵抗板（５）に、二番処理胴（３）に対して垂直な面からなる基部抵抗面（７）と、ニ番処理室（２）内の二番物の移送方向（Ａ）に対して後退角（θ）を有する先端の抵抗面（６）とを形成したことを特徴とする請求項１記載の脱穀機。
【請求項３】
前記各移送抵抗板（５）の板面を、ニ番処理室（２）内の二番物の移送方向（Ａ）において移送方向下手側のものほど徐々に後退角（θ）が大きくなるように夫々湾曲させたことを特徴とする請求項１記載の脱穀機。
【発明の詳細な説明】
【技術分野】
【０００１】
この発明は、コンバインやハーベスタに搭載する脱穀機に関する。
【背景技術】
【０００２】
コンバインの前部に設けた刈取装置で刈り取られた穀稈は脱穀機の扱室で脱穀されるが、扱室で脱穀される籾には枝梗付き籾やカギ又付き籾等（二番物）が混入している。この二番物をさらに脱穀処理して単粒化する二番処理装置を扱室に併設した脱穀機がある。
【０００３】
例えば、下記特許文献１には、脱穀機の二番処理装置として、二番処理胴の外周部に移送螺旋や処理歯及び枝梗取板を設け、この二番処理胴の終端部には前記枝梗取板に外方から接近する抵抗板を二番処理胴の内壁に設けた構成が示されている。
【特許文献１】特開平１１−２９９３４１号公報
【発明の開示】
【発明が解決しようとする課題】
【０００４】
前記の特許文献１に記載の二番処理装置では、二番物の送り抵抗が大きく詰まりがちで、穀粒の単粒化も不充分であった。
そこで、本発明では、従来よりも効率良く二番物を処理することを課題とする。
【課題を解決するための手段】
【０００５】
本発明の上記課題は次の構成によって達成される。
すなわち、請求項１記載の発明は、扱胴（１５）を軸架した扱室（１）の一側に、該扱室（１）の後部から被処理物を受入れて処理する排塵処理胴（１８）を軸架した排塵処理室（１９）を設け、前記排塵処理胴（１８）の前方にはニ番揚穀筒（２８）から排出される二番物を処理するニ番処理胴（３）を軸架した二番処理室（２）を設けた脱穀機において、前記二番処理胴（３）の外周に立設する攪拌搬送体（４）に接近すると共に二番処理室（２）内のニ番物の移送方向（Ａ）に対して後退角（θ）を有する抵抗面（６）を形成した複数の移送抵抗板（５）を二番処理室（２）の内壁に設け、該各移送抵抗板（５）の上端縁を脱穀機の内側下方へ向けて下り傾斜させると共に各移送抵抗板（５）の上方位置に開閉可能なメンテナンス用窓（４０）を設けたことを特徴とする脱穀機としたものである。
【０００６】
請求項２記載の発明は、前記各移送抵抗板（５）に、二番処理胴（３）に対して垂直な面からなる基部抵抗面（７）と、ニ番処理室（２）内の二番物の移送方向（Ａ）に対して後退角（θ）を有する先端の抵抗面（６）とを形成したことを特徴とする請求項１記載の脱穀機としたものである。
【０００７】
請求項３記載の発明は、前記各移送抵抗板（５）の板面を、ニ番処理室（２）内の二番物の移送方向（Ａ）において移送方向下手側のものほど徐々に後退角（θ）が大きくなるように夫々湾曲させたことを特徴とする請求項１記載の脱穀機としたものである。
【発明の効果】
【０００８】
請求項１記載の発明によれば、ニ番処理室（２）内のニ番物の移送方向（Ａ）に対して後退角（θ）を有する抵抗面（６）によって二番物に戻し作用が働き、各移送抵抗板（５）への衝突が繰り返されて脱穀作用が良好になる。
また、各移送抵抗板（５）の上端縁を脱穀機の内側下方へ向けて下り傾斜させることで、藁屑の溜まりを防止できるうえに、各移送抵抗板（５）の上方位置に設けたメンテナンス用窓（４０）を開閉して点検や詰まりの除去を行うことができる。
【０００９】
請求項２記載の発明によれば、上記請求項１記載の発明の効果に加え、二番物が強く衝突する垂直な基部抵抗面（７）の脱穀作用と後退角（θ）を有する先端の抵抗面（６）による戻し作用が適度に繰り返され、ニ番物の脱穀を効果的に行うことができる。
請求項３記載の発明によれば、上記請求項１記載の発明の効果に加え、各移送抵抗板（５）の板面を、ニ番処理室（２）内の二番物の移送方向（Ａ）において移送方向下手側のものほど徐々に後退角（θ）が大きくなるように夫々湾曲させることで、詰まりの発生をより少なくすることができる。
【発明を実施するための最良の形態】
【００１０】
図１、図２及び図３は、コンバインの脱穀処理部を示している。
穀稈を搬送するフィードチェン１０を有する脱穀装置１１と、該脱穀装置１１の後方には、前記フィードチェン１０から搬送されてくる排稈を引き継いで搬送する排稈チェン１２と、該排稈チェン１２の終端部下方には排稈を切断するカッター装置１３が設けられている。
【００１１】
穀稈は、脱穀装置１１のフィードチェン１０で後方へ搬送されながら脱穀装置１１にて脱穀選別される構成である。
脱穀装置１１内には、扱網１４を有する扱胴１５を扱胴軸１６で軸架した扱室１と、該扱室１の一側には、扱室１の後部からの処理物を受け入れて処理する排塵処理網を有する排塵処理胴１８を排塵処理胴軸で軸架した排塵処理室１９が設けられている。そして、扱室１と排塵処理室１９の下方には揺動選別棚２０が設けられている。
【００１２】
また、排塵処理胴１８の前方には、二番処理胴３と二番処理胴受樋２１（網や格子状のものでもよい）からなる二番処理室２が構成されている。二番処理胴３は、本実施例では扱胴１の一側であって、排塵処理胴１８の前方にこの排塵処理胴１８と一体的に構成されている。この二番処理胴３は基本的には二番物を処理するものである。この二番処理胴３は二番処理胴軸２２にて支持されている構成であるので、前記排塵処理胴１８と二番処理胴３とは一体的に排塵処理胴軸と二番処理胴軸２２とで支持されている構成である。
【００１３】
さらに、図２は図１にて示すＡ−Ａ断面図であるが、扱網１４から漏れた被処理物は二番処理室２内に取り込まれる構成であるので、前記二番処理胴３は二番物の他に、扱室１内から入り込んできた被処理物も一緒に処理する構成となっている。前記扱網１４と二番処理胴受樋２１と排塵処理網１９は、それぞれ扱胴１５と二番処理胴３と排塵処理胴１８の下方に設けられている。
【００１４】
排塵処理胴１８の排塵処理歯１８ａは、扱室１の後部からの脱穀物を選別風送り方向の下手側方向に送るような向きに固着しておく必要がある。本実施例では、該排塵処理歯１８ａは、排塵処理胴１８の外周面に巻き付けたラセン形状となっている。
【００１５】
扱胴１５と二番処理胴３と排塵処理胴１８は、共に選別風送り方向上手側から下手側を見る脱穀装置１１の正面視において、時計回りで回転する構成である。従って、二番処理胴３の処理歯３ａの向きは、脱穀物を選別風送り方向の上手側方向に送るような向きに固着しておく必要がある。
【００１６】
即ち、該処理歯３ａには被処理物を選別風送り方向上手側に搬送する作用があり、さらに、被処理物を処理する作用も併せ持っている。即ち、処理歯３ａはラセンの一部であり、また、その円周方向の先端部と二番処理胴受樋２１との間の相互作用にて被処理物を処理する構成となっている。二番処理胴３の搬送終端部に設けられている羽根３ｂは、被処理物を揺動選別棚２０上に強制的に送り出すものである。
【００１７】
二番処理室２に軸架する二番処理胴３には、攪拌搬送体４を設けているが、この攪拌搬送体４は、板体４ａを螺旋状に立設したもので、所定間隔で切り欠いている。
この二番処理胴３の上部には、攪拌搬送体４で飛ばされる籾を受ける移送抵抗板５を機枠９の内壁に所定間隔で複数個（本実施例では３個）立設している。この移送抵抗板５は、図４に示す如く、取付け部が二番処理胴３に対して垂直状に立設し、中間部で移送方向Ａに対して後退角θを持たせて屈曲している。
【００１８】
複数の移送抵抗板５の配置間隔は、図４に示す如く、後述する二番揚穀筒２８の排出口３０からの間隔Ｌ１を広く取り、各移送抵抗板５の間隔Ｌ２を前記間隔Ｌ１より狭くすることで排出口３０からの二番物取り込みをスムースにし各移送抵抗板５での脱穀作用を効果的に行うようにしている。
【００１９】
また、各移送抵抗板５は同一部品を使っている為先端の間隔Ｌ３が配置間隔Ｌ２と同一で、先端と取付け部の間隔Ｌ４も藁屑が詰らない程度の間隔にしている。
さらに、図５に示すように、各移送抵抗板５の配置間隔Ｌ２には、攪拌搬送体４を構成する複数の板体４ａが収まるようにして板体４ａが二番物を持ち回るのを避けて攪拌打撃回数が多くなるようにしている。
【００２０】
各移送抵抗板５の板面は、図５に示すように、移送方向Ａに対してリード角αを持たせて設けることで二番物に適度な送り作用を付与するようにしているが、そのリード角αは、攪拌搬送体４を構成する複数の板体４ａのラセン角βと略同一かやや小さくしている。この程度が詰りを発生せず脱穀を効果的に行えることが実験的に解明された。
【００２１】
脱穀処理能力に余裕のある場合には、図６に示すように、各移送抵抗板５の板面を逆リード角γにすることも出来る。その際は、逆リード角γをラセン角βよりも大きくすることで移送抵抗を大きくして脱穀作用を強くする。
【００２２】
各移送抵抗板５の板面は、図４に示すように垂直な取付け基部の基部抵抗面７と後退角θを有する先端抵抗面（抵抗面）６で構成することで、二番物に衝突脱穀と戻り作用を効果的に行えるが、図７に示すように板面が徐々に後退角θを大きくする湾曲形状にすることも出来る。この場合には、各移送抵抗板５の間隔が一定になり、詰りの発生がより少なくなる効果が期待できる。
【００２３】
各移送抵抗板５の機壁９からの突出幅Ｍ１は、図２に示すように、二番処理胴受樋２１の突出幅Ｍ２よりも大きくすることで、二番物の脱穀搬送効率をよくしている。さらに、各移送抵抗板５の機壁９からの突出幅Ｍ１は、二番揚穀筒２８の排出口３０よりも広くすることで、排出口３０からの二番物を二番処理胴３上に確実に案内する。また、二番揚穀筒２８の排出口３０側の移送抵抗板５は排出口３０の延長線上まで延ばして、二番物を二番処理胴２内へ案内するようにしている。
【００２４】
さらに、各移送抵抗板５の上端縁は、機内下方に向かって下り傾斜にして、ここへ藁屑が溜まらないようにしている。
扱胴１や二番処理室２は、機枠内に収めているが、前記各移送抵抗板５の上方位置には開閉可能なメンテナンス用窓４０を設けて、点検や詰り除去が行えるようにしている。
【００２５】
前記扱室１と二番処理室２と排塵処理室１９の下方には、落下してくる被選別物を受けて選別する揺動選別棚２０が設置されていて、該揺動選別棚２０の下方には、選別風送り方向始端側に唐箕２３を設け、該唐箕２３から送風される選別風の送り方向下手側には、風路２４と風路２５が設けられていて、この風路２４と風路２５の下手側に一番ラセン２６を設け、該一番ラセン２６の選別風送り方向下手側には二番ラセン２７を設けている。この二番ラセン２７にて収集された二番物を前記二番処理室２へ揚穀するための二番揚穀筒２８が設けられている。
【００２６】
前記刈取装置から搬送されてきた穀稈は、脱穀装置１１のフィードチェン１０の始端部に引き継がれると共に、該フィードチェン１５に引き継がれた穀稈は、後方に搬送されながら、扱胴１５と扱網１４により脱穀される。脱穀された脱穀物の一部は揺動選別棚２０上に落下して、該揺動選別棚２０の揺動作用と唐箕２３からの風選作用により選別され、一番ラセン２６内へと取り込まれていき、該一番ラセン２６に取り込まれた穀粒は、グレンタンク内に一時貯溜される構成である。
【００２７】
脱穀後の排稈はフィードチェン１０の終端部から、排稈チェン１２の始端部に引き継がれて搬送されていき、その後、カッター１３に送られて切断され下方の圃場上に放出されていく構成となっている。
【００２８】
扱室１の残りの脱穀物は、排塵処理室１９へ搬送されていくが、その途中において一部の脱穀物は二番処理室２内に取り込まれていく。該二番処理室２内に取り込まれた脱穀物は、前述の如く脱穀されて、下方の揺動選別棚２０上に落下していく。
【００２９】
排塵処理室１９では、排塵処理網の目合いが荒い格子状なので、一部の短い藁屑は揺動選別棚２０上に落下し、落下しなかった長い藁屑は排塵処理室２の終端部まで搬送されて、排塵処理胴３の終端部の羽根３ｂにて排出口からストローラック３０上に強制的に排出される。そして、このように被処理物が排塵処理室１９内にて搬送される間に、排塵処理胴１８とこの排塵処理胴１８の設けられている排塵処理歯１８ａと排塵処理網との相互作用で、さらに脱穀されるとともに、脱穀物は解されて中に混在している穀粒いわゆるササリ粒が取り出されて下方の揺動選別棚２０上に落下し、さらに、二番ラセン２７内へと回収されていく構成である。
【００３０】
前述のように、扱室１内の脱穀物で揺動選別棚２０上に落下せず、二番処理室２内にも取り込まれなかった残りの脱穀物は、扱室１の終端部まで搬送されていく。この扱室１の終端部まで搬送されてきた脱穀物は、排塵処理室１９内に取り込まれ、取り込まれた脱穀物は、選別風送り方向下手側に搬送されていく。また、扱室１の終端部まで搬送されてきた脱穀物のうち、排塵処理室１９内に取り込まれなかった脱穀物は下方の揺動選別棚２０上に落下していく構成である。
【００３１】
扱室１内の終端部から排塵処理室４内に脱穀物を送る際において、脱穀物が詰まらないように、扱室１から排塵処理室１９への引継ぎ部分においても、排塵処理胴１８の外周にラセン形状の排塵処理歯１８ａを設けていて、該排塵処理歯１８ａの送り作用で引継ぎ部に脱穀物が詰まらないようにしている。
【００３２】
揺動選別棚２０の揺動作用と唐箕２３からの選別風の作用にもかかわらず、一番ラセン２６内に取り込まれなかった残りの穀粒は、他の排塵物と共にさらに後方に送られ、二番ラセン２７内へと取り込まれていく。該二番ラセン２７内に取り込まれた二番物は、二番揚穀筒２８にて前記二番処理室２の選別風送り方向下手側に還元されて、扱室１からの脱穀物と合流し、その後、選別風送り方向の上手側に搬送されながら、二番処理胴受樋２１との相互作用で脱穀処理されながら搬送され、終端部の羽根３ｂにより下方の揺動選別棚２０上に強制的に落下していく構成である。
【図面の簡単な説明】
【００３３】
【図１】コンバインの脱穀部を示す平断面図である。
【図２】図１のＡＡ断面図である。
【図３】コンバインの脱穀部を示す正断面図である。
【図４】コンバインの脱穀部を示す背断面図である。
【図５】要部の拡大正面図である。
【図６】別実施例を示す要部の拡大正面図である。
【図７】別実施例を示す要部の拡大背面図である。
【符号の説明】
【００３４】
１    扱室
２    二番処理室
３    二番処理胴
４    攪拌搬送体
５    移送抵抗板
６    先端抵抗面（抵抗面）
７    基部抵抗面
１５ 扱胴
１８ 排塵処理胴
１９ 排塵処理室
２８ ニ番揚穀筒
４０ メンテナンス用窓
θ    後退角
Ａ    移送方向
【図１】
0004640112.tif 000002
【図２】
0004640112.tif 000003
【図３】
0004640112.tif 000004
【図４】
0004640112.tif 000005
【図５】
0004640112.tif 000006
【図６】
0004640112.tif 000007
【図７】
0004640112.tif 000008